(57)【要約】【課題】清掃体に付着させた清掃液が蒸発しても清掃体が切断してしまうことを抑制することが出来る手摺清掃装置。【解決手段】帯状の清掃体と、前記清掃体を回転自在に装着してある清掃体装着手段と、前記清掃体装着手段から前記清掃体を巻取る清掃体巻取手段と、前記清掃体装着手段と前記清掃体巻取手段との間に配置され前記清掃体をコンベアの移動手摺に押圧させる清掃体押圧手段と、清掃液を前記清掃体に付着させる清掃液タンクとを有するコンベアの移動手摺清掃装置であって、前記清掃体と前記清掃液タンクの内壁とを離間させる清掃体離間手段を具える。【選択図】  図３
2004244165.tif 000002
【特許請求の範囲】
【請求項１】
帯状の清掃体と、前記清掃体を回転自在に装着してある清掃体装着手段と、前記清掃体装着手段から前記清掃体を巻取る清掃体巻取手段と、前記清掃体装着手段と前記清掃体巻取手段との間に配置され前記清掃体をコンベアの移動手摺に押圧させる清掃体押圧手段と、清掃液を前記清掃体に付着させる清掃液タンクとを有するコンベアの移動手摺清掃装置であって、
前記清掃体と前記清掃液タンクの内壁とを離間させる清掃体離間手段を具えたことを特徴とするコンベアの移動手摺清掃装置。
【請求項２】
請求項１において、前記清掃体離間手段は前記清掃液タンク内壁に沿って配置され、上部が前記清掃液タンク内方に向かって折り曲げられている折曲部を有する針金により構成し、前記清掃体は前記折曲部に当接した状態で配置されていることを特徴とするコンベアの移動手摺清掃装置。
【請求項３】
請求項１において、前記清掃体離間手段は、前記清掃液タンクと一体に形成したことを特徴とするコンベアの移動手摺清掃装置。
【請求項４】
請求項３において、前記清掃液タンクを合成樹脂で形成したことを特徴とするコンベアの移動手摺清掃装置。
【発明の詳細な説明】
【０００１】
【発明の属する技術分野】
本発明は、コンベアの移動手摺清掃装置に関する。
【０００２】
【従来の技術】
従来、乗客コンベアの移動手摺を長期に渡って安定した清掃を行える乗客コンベアの移動手摺清掃装置にするため、乗客コンベアの移動手摺に摺接する清掃体を移動手摺に選択的に当接させる手段により清掃体を移動手摺に当接させ、移動手摺の移動に伴って清掃体より移動手摺の表面を自動的に清掃し、清掃体を自動的に更新する乗客コンベアの移動手摺清掃装置がある。そして、移動手摺に清掃体が当接する前に清掃体に清掃液を含浸させるように清掃液タンク内に清掃体を浸すことにより、清掃液のむだがなくなり、移動手摺の塵埃をふき取る清掃効果が低下することなく、効率的に清掃液を使いきり、計画的に補給することができる技術が知られている（例えば、特許文献１参照）。
【０００３】
【特許文献１】特開平１０−３３００６４号公報（第２頁、図２）
【発明が解決しようとする課題】
しかし、帯状の清掃体を清掃液タンク内に長期間保持した状態にすると、清掃液タンクの内壁面に張付いた清掃体は、清掃体に付着させた清掃液が蒸発してしまうことで清掃液タンク内壁面と清掃体が固着してしまう場合がある。
このため、清掃体を巻き取ろうとすると、清掃体が切断されてしまい、清掃することが出来なくなってしまう問題がある。
【０００４】
本発明の目的とするところは、このように清掃体に付着させた清掃液が蒸発しても清掃体が切断してしまうことを抑制することが出来るコンベアの移動手摺清掃装置を提供することにある。
【０００５】
【課題を解決するための手段】
本発明は、帯状の清掃体と、前記清掃体を回転自在に装着してある清掃体装着手段と、前記清掃体装着手段から前記清掃体を巻取る清掃体巻取手段と、前記清掃体装着手段と前記清掃体巻取手段との間に配置され前記清掃体をコンベアの移動手摺に押圧させる清掃体押圧手段と、清掃液を前記清掃体に付着させる清掃液タンクとを有するコンベアの移動手摺清掃装置であって、前記清掃体と前記清掃液タンクの内壁とを離間させる清掃体離間手段を具えたことを特徴とする。
【０００６】
【発明の実施の形態】
本願発明の一実施例に関るコンベアの移動手摺清掃装置は、帯状の清掃体と、前記清掃体を回転自在に装着してある清掃体装着手段と、前記清掃体装着手段から前記清掃体を巻取る清掃体巻取手段と、前記清掃体装着手段と前記清掃体巻取手段との間に配置され前記清掃体をコンベアの移動手摺に押圧させる清掃体押圧手段と、清掃液を前記清掃体に付着させる清掃液タンクとを有するコンベアの移動手摺清掃装置であって、前記清掃体と前記清掃液タンクの内壁とを離間させる清掃体離間手段を具えたことを特徴とする。
この構成により、清掃体は清掃液タンクの内壁から離間させられるので、清掃体が清掃タンク内壁に貼りついて、巻取手段により引っ張ることで破れることを防止することが出来る。
【０００７】
本願発明の一実施例に関るコンベアの移動手摺清掃装置は、さらに、前記清掃体離間手段は前記清掃液タンク内壁に沿って配置され、上部が前記清掃液タンク内方に向かって折り曲げられている折曲部を有する針金により構成し、前記清掃体は前記折曲部に当接した状態で配置されていることを特徴とする。
この構成により、清掃体が針金との接触になるため清掃タンク内壁にへばりつかず、清掃装置の信頼性を向上することが出来る。
【０００８】
本願発明の一実施例に関るコンベアの移動手摺清掃装置は、さらに、前記清掃体離間手段は、前記清掃液タンクと一体に形成したことを特徴とする。好ましくは、前記清掃液タンクを合成樹脂で形成したことを特徴とする。
この構成により、清掃体離間装置を簡単にコストを抑えて製造することが出来る。
【０００９】
（実施例）
以下、本発明の一実施形態を図面によって説明する。
図１は、帯状清掃体２を使用し、乗客コンベアの移動手すりを清掃する移動手すり清掃装置の外観図である。
移動手すり清掃装置（７）は、乗客コンベアの移動手すり（１）の手すり表面に近接して設置される。
移動手すり清掃装置（７）には、不織布で形成された帯状の清掃体（２）が取付けられ、カム機構等を利用して乗客コンベアの移動手すり（１）に帯状清掃体（２）を押圧させたり、乗客コンベアの移動手すり（１）から帯状清掃体（２）を離したりすることのできる清掃体押圧手段（８）によって、乗客コンベアの移動手すり（１）に帯状清掃体（２）を押圧することで、乗客コンベアの移動手すり（１）の表面の清掃を行う。
【００１０】
帯状清掃体（２）は、ある一定の清掃サイクル（例えば２４時間サイクル）での清掃が完了した時点で、移動手すり清掃装置（７）に取付けてある清掃体巻取手段（５）によって、ある一定量が巻き取られ、乗客コンベアの移動手すり（１）に押圧される面が更新される。
このように、移動手すり清掃装置（７）は、帯状清掃体（２）を、清掃体押圧手段（８）で移動手すり（１）に押圧し、ある一定の清掃サイクル完了後に、清掃体押圧手段（８）によって移動手すり（１）から帯状清掃体（２）を離し、ある一定量を清掃体巻取り手段（５）で巻き取ることを繰り返して、移動手すり（１）の表面を常に清掃する動作を行う。
【００１１】
図２は、本発明に係る隙間棒（６）の一形状例の斜視図である。
隙間棒（６）は、針金状の金属等で形成され、清掃液タンク（４）の内部に入る様になっている。
【００１２】
図３は、隙間棒（６）を清掃液タンク（４）に配置し、清掃液タンク（４）内を通過する帯状清掃体（２）と清掃液タンク（４）の内壁面に隙間を形成している状態を表わす清掃液タンク（４）の断面図である。
まず、清掃液タンク（４）の内壁面に帯状清掃体（２）が貼り付き、固着する様子を説明する。
【００１３】
図１において、帯状の清掃体（２）は、清掃体（２）を回転自在に装着してある清掃体装着手段の一部を形成する清掃体装着軸（３）に巻かれており、清掃液タンク（４）の内部を通り、清掃液タンク（４）内に入れられた清掃液（９）を含浸させる。
清掃体装着手段を構成する清掃体装着軸（３）から清掃体（２）を巻き取る清掃体巻取手段（５）によって帯状の清掃体（２）が巻き取られるため、自由に回転できるようになっている。そして、清掃体装着手段と清掃体巻取手段との間に配置され清掃体をコンベアの移動手摺に押圧させる清掃体押圧手段（８）がある。
清掃液タンク（４）は、清掃液を清掃体に付着させるものであり、タンク内では帯状の清掃体（２）は、弛みが発生し、清掃液（９）の含浸により、Ａ部のように清掃液タンク（４）の内壁面に貼り付く。
この清掃液タンク（４）の内壁面に帯状清掃体（２）が貼り付いた状態がある一定時間継続するため、帯状の清掃体（２）に含浸させた清掃液（９）の蒸発によって、不織物で形成された帯状の清掃体（２）は、清掃液タンク（４）の内壁面に固着してしまう。
【００１４】
本実施例では、この問題を解決するため、清掃装置に、清掃体と清掃液タンクの内壁とを離間させる清掃体離間手段を具えた。これにより、清掃体が清掃タンク内壁についてしまって引っ張ることにより破れることを防止することが出来る。
具体的には清掃体離間手段は、図２のような形状の隙間棒（６）を図３に示すように清掃液タンク（４）に入れ、帯状清掃体（２）と清掃液タンク（４）の内壁面に隙間を作り、帯状清掃体（２）と清掃液タンク（４）の内壁面が接触しないようにしている。
この隙間棒（６）は、清掃液タンク内壁に沿って配置され、上部が清掃液タンク内方に向かって折り曲げられている折曲部を有する針金であって、清掃体（２）は折曲部に当接した状態になることから、清掃体が鉢金とのわずかな接触になるため清掃タンク内壁にへばりつかず、清掃装置の信頼性を向上することが出来る。
【００１５】
図２の隙間棒（６）は、針金状の金属で形成しても良いし、プラスチック等他のの材料で形成しても良い。
清掃体離間装置を構成する隙間棒（６）の形状に付いては、帯状清掃体（２）と清掃液タンク（４）の内壁面の間に隙間を作れれば良く、清掃液タンク（４）をプラスチック等の材料で成形する場合には、合せて隙間棒（６）を成形しても良い。例えば、図４に示すような鉛直方向に伸びるリブ（１０）を、図５に示すように１つ又は複数個設け、これらを清掃液タンクと同じ材質（例えば合成樹脂）で一体に形成することにより、清掃体（２）の離間手段を設けても良い。
このように形成することで、清掃体離間装置を簡単にコストを抑えて製造することが出来る。
隙間棒（６）の動作は、図３のように、清掃液タンク（４）の内部に隙間棒（６）を配置し、帯状清掃体（２）が清掃液タンク（４）の内壁面に接触しないようにし、帯状清掃体（２）と清掃液タンク（４）の内壁面が接触しないよう隙間を作っている。
【００１６】
【発明の効果】
本発明の構成によれば、清掃体が清掃タンク内壁についてしまって引っ張ることにより破れることから防止することが出来る。
【図面の簡単な説明】
【図１】コンベアの移動手摺清掃装置である。
【図２】本発明における清掃体離間手段の一実施例の斜視図である。
【図３】本発明における清掃体離間手段の一実施例による帯状清掃体と清掃液タンク内壁面に隙間を形成した状態を表わす清掃液タンクの断面図である。
【図４】本発明における清掃体離間手段の一実施例による帯状清掃体と清掃液タンク内壁面に隙間を形成した状態を表わす清掃液タンクの断面図である。
【図５】図４の清掃液タンクの平面図の一部である。
【符号の説明】
１…乗客コンベアの移動手すり、２…帯状清掃体、４…清掃液タンク。
【図１】
2004244165.tif 000003
【図２】
2004244165.tif 000004
【図３】
2004244165.tif 000005
【図４】
2004244165.tif 000006
【図５】
2004244165.tif 000007